(57)【要約】無線送信装置は、直接スペクトル拡散変調のために、拡散符号により送信データ列を拡散変調するマッピング部と、前記マッピング部の出力を波形整形して帯域制限する波形整形部と、波形整形部の出力に関する成分の性質を増幅することができ、ゲインが可変な可変増幅器を備える。さらに、無線送信装置は制御部を備えており、制御部は、可変増幅器のゲイン変更前に、波形整形部の出力に関する成分のアナログ波の上での振幅が無になるようにマッピング部の出力を処理し、可変増幅器のゲイン変更後に、マッピング部の本来の出力が波形整形部に波形整形されるようにする。
2004019511.tif 000002
【特許請求の範囲】
【請求項１】
直接スペクトル拡散変調のために、拡散符号により送信データ列を拡散変調するマッピング部と、
前記マッピング部の出力を波形整形して帯域制限する波形整形部と、
前記波形整形部の出力に関する成分の性質を増幅することができ、ゲインが可変な可変増幅器と、
前記可変増幅器のゲイン変更前に、前記波形整形部の出力に関する成分のアナログ波の上での振幅が無になるように前記マッピング部の出力を処理し、前記可変増幅器のゲイン変更後に、前記マッピング部の本来の出力が前記波形整形部に波形整形されるようにする制御部とを備える無線送信装置。
【請求項２】
可変増幅器は波形整形部の出力の振幅を増幅することを特徴とする請求の範囲第１項記載の無線送信装置。
【請求項３】
可変増幅器は波形整形部の出力が処理されたアナログ波を送信する電力を増幅することを特徴とする請求の範囲第１項記載の無線送信装置。
【請求項４】
制御部は、マッピング部の出力が供給されるゲート部と、前記ゲート部を制御する制御信号発生部を備えており、
可変増幅器のゲイン変更前に、前記制御信号発生部が制御信号を前記ゲート部に供給することによって、前記ゲート部が前記波形整形部の出力に関する成分のアナログ波の上での振幅が無になるように前記マッピング部の出力を処理し、
可変増幅器のゲイン変更後に、前記制御信号発生部が前記制御信号の前記ゲート部への供給を停止することによって、前記マッピング部の本来の出力が前記波形整形部に供給されるように前記ゲート部が動作するように構成されていることを特徴とする請求の範囲第１項記載の無線送信装置。
【請求項５】
制御部は、マッピング部の出力が供給される波形整形部と、前記波形整形部を制御する制御信号発生部を備えており、
可変増幅器のゲイン変更前に、前記制御信号発生部が制御信号を前記波形整形部に供給することによって、前記波形整形部が前記波形整形部の出力に関する成分のアナログ波の上での振幅が無になるように前記マッピング部の出力を処理し、
可変増幅器のゲイン変更後に、前記制御信号発生部が前記制御信号の前記波形整形部への供給を停止することによって、前記マッピング部の本来の出力が前記波形整形部に波形整形されるように前記波形整形部が動作するように構成されていることを特徴とする請求の範囲第１項記載の無線送信装置。
【発明の詳細な説明】
【技術分野】  この発明は、ＣＤＭＡ等を用いた移動体通信システムの無線送信装置に関するものである。
【背景技術】  第９図は、従来の技術に係るＣＤＭＡ移動体通信システムにおける携帯ハンドセットの無線送信装置におけるベースバンド変調装置を示すブロック図である。図において、１はマッピング部、１８〜２１は波形整形部、７〜１０はゲイン乗算器、１１，１２は加算器を示す。
この従来技術では例えば音声と動画像を多元送信するために、マッピング部１は複数の拡散部１ＣＨ１，１ＣＨ２を有する。拡散部１ＣＨ１には例えば音声のデータ列ＣＨ１が供給され、拡散部１ＣＨ２には例えば動画像のデータ列ＣＨ２が供給される。拡散部１ＣＨ１は、拡散符号Ｃｏｄｅ１を用いたＱＰＳＫ変調をデータ列ＣＨ１に行って拡散し、拡散部１ＣＨ２は、拡散符号Ｃｏｄｅ２を用いたＱＰＳＫ変調をデータ列ＣＨ２に行って拡散する。よって、拡散部１ＣＨ１，１ＣＨ２の各々は、１シンボル時刻あたり２ビットの情報を取り扱うことができ、ＱＰＳＫ変調により拡散されたデータ列ＣＨ１，ＣＨ２はＩ成分（同相成分）とＱ成分（直交成分）に分解される。拡散部１ＣＨ１によってデータ列ＣＨ１を分解したＩ成分とＱ成分が、ＩＣＨ１，ＱＣＨ１であり、拡散部１ＣＨ２によってデータ列ＣＨ２を分解したＩ成分とＱ成分が、ＩＣＨ２，ＱＣＨ２である。分解結果の成分ＩＣＨ１，ＱＣＨ１，ＩＣＨ２，ＱＣＨ２は、それぞれ１シンボル時刻あたり１ビットのデータ列である。
拡散部１ＣＨ１，１ＣＨ２が用いる拡散符号Ｃｏｄｅ１，Ｃｏｄｅ２は、データ列ＣＨ１，ＣＨ２に比べ同等または短い周期で変化する信号であり、拡散部１ＣＨ１，１ＣＨ２により、データ列ＣＨ１，ＣＨ２のスペクトルが拡散される。また、拡散前のデータＣＨ１，ＣＨ２はシンボル単位で変化する信号であるが、拡散後の成分ＩＣＨ１，ＱＣＨ１，ＩＣＨ２，ＱＣＨ２は、拡散符号の速度で決定されるチップ単位で変化する信号である。
拡散部１ＣＨ１で拡散された成分ＩＣＨ１は波形整形部１８に入力され、成分ＱＣＨ１は波形整形部２０に入力される。また、拡散部１ＣＨ２で拡散された成分ＩＣＨ２は波形整形部１９に入力され、成分ＱＣＨ２は波形整形部２１に入力される。これらの波形整形部１８〜２１は、ナイキストフィルタであって、データ列がディジタル−アナログ変換されると、帯域制限された適切な波形を持つようにするために、成分ＩＣＨ１，ＩＣＨ２，ＱＣＨ１，ＱＣＨ２を処理して、成分Ｉ’ＣＨ１，Ｉ’ＣＨ２，Ｑ’ＣＨ１，Ｑ’ＣＨ２をそれぞれ出力する。波形整形処理前の成分ＩＣＨ１，ＩＣＨ２，ＱＣＨ１，ＱＣＨ２がそれぞれ１時刻あたり１ビットのデータ列であるのに対して、波形整形部１８〜２１による波形整形処理後の成分Ｉ’ＣＨ１，Ｉ’ＣＨ２，Ｑ’ＣＨ１，Ｑ’ＣＨ２はそれぞれ、必要な振幅精度に対応した、１時刻あたりマルチビット（例えば８ビット）を持ち、時々刻々と変化するデータ列である。
波形整形部１８〜２１の出力した成分Ｉ’ＣＨ１，Ｉ’ＣＨ２，Ｑ’ＣＨ１，Ｑ’ＣＨ２は、チャネル相互（例えば音声と動画像）の振幅差を設けるために、それぞれゲイン乗算器７〜１０に入力される。この従来技術では、データ列ＣＨ１に関連する成分Ｉ’ＣＨ１，Ｑ’ＣＨ１に、ゲイン乗算器７，９がゲインβｄを乗算する一方、データ列ＣＨ２に関連する成分Ｉ’ＣＨ２，Ｑ’ＣＨ２に、ゲイン乗算器８，１０がゲインβｃを乗算する。これらのゲインβｄ，βｃは可変である。
また、ゲイン乗算器７，８から出力された同相成分βｄ・Ｉ’ＣＨ１およびβｃ・Ｉ’ＣＨ２は加算器１１で加算され、ゲイン乗算器９，１０から出力された直交成分βｄ・Ｑ’ＣＨ１およびβｃ・Ｑ’ＣＨ２は加算器１２で加算される。
これらの加算されたデータ列は図示しないディジタル−アナログコンバータ（Ｄ／Ａコンバータ）でアナログ信号化され、以下の式（１）および式（２）で表される同相チャネルおよび直交チャネルそれぞれのベースバンド変調装置の出力（ベースバンド信号）Ｉｍｏｄ，Ｑｍｏｄが得られる。
Ｉｍｏｄ＝βｄ・Ｉ’ＣＨ１＋βｃ・Ｉ’ＣＨ２      （１）
Ｑｍｏｄ＝βｄ・Ｑ’ＣＨ１＋βｃ・Ｑ’ＣＨ２      （２）
Ｄ／Ａコンバータは図示しない送信器に接続されており、同相チャネルおよび直交チャネルそれぞれのベースバンド信号に送信器は無線周波数変調および電力増幅を施した後、送信する。
以上のように構成された従来のＣＤＭＡ移動体通信システムにおける無線送信装置では、ゲインを乗算して各チャネルの振幅比を適切に調整することができながらも、波形整形部は１シンボル時刻あたり１ビットの入力を受け付けることができればよいので、簡単な構成の波形整形部が使用可能となり、無線送信装置の回路規模の削減に効果がある。
第１１図は、他の従来技術に係るＣＤＭＡ移動体通信システムにおける無線送信装置を示す。この無線送信装置は送信する電力を必要に応じて変化させる送信電力制御の必要なＣＤＭＡ移動体通信システムにおいて使用される。図において、２９はマッピング部、３，５は波形整形部、２２，２３はディジタルアナログ変換器、２４は無線周波数変調器、２５は第２の選択部、２６は第１の電力増幅器、２７は第２の電力増幅器、２８は第１の選択部を示す。
マッピング部２９は拡散部２９ａを有しており、拡散部２９ａにはデータ列ＣＨ１が供給される。拡散部２９ａは、データ列ＣＨ１を拡散符号Ｃｏｄｅ１を用いてＱＰＳＫ変調を行って拡散する。よって、拡散部２９ａは、１シンボル時刻あたり２ビットの情報を取り扱うことができ、ＱＰＳＫ変調により拡散されたデータ列ＣＨ１はＩ成分ＩＣＨ１とＱ成分ＱＣＨ１に分解される。分解結果の成分ＩＣＨ１，ＱＣＨ１は、それぞれ１シンボル時刻あたり１ビットのデータ列である。
成分ＩＣＨ１と成分ＱＣＨ１はそれぞれ波形整形部３，５に入力される。これらの波形整形部３，５は、例えばルートナイキストフィルタで構成され、データ列がディジタル−アナログ変換されると、帯域制限された適切な波形を持つようにするために、成分ＩＣＨ１，ＱＣＨ１を処理して、成分Ｉ’ＣＨ１，Ｑ’ＣＨ１をそれぞれ出力する。波形整形処理前の成分ＩＣＨ１，ＱＣＨ１がそれぞれ１シンボル時刻あたり１ビットのデータ列であるのに対して、波形整形部３，５による波形整形処理後の成分Ｉ’ＣＨ１，Ｑ’ＣＨ１はそれぞれ、必要な振幅精度に対応した、１時刻あたりマルチビット（例えば８ビット）を持ち、時々刻々と変化するデータ列である。
波形整形された同相チャネルおよび直交チャネルそれぞれのデータ列はディジタルアナログ変換器２２，２３によりアナログ波形に変換され、無線周波数変調器２４で無線周波数の変調が行われる。
無線周波数変調器２４の出力は第２の選択部２５に供給される。第１の選択部と第２の選択部は、無線周波数変調器２４の出力が第１の電力増幅器２６と第２の電力増幅器２７の何れで、電力増幅されるように選択する。第１の電力増幅器２６および第２の電力増幅器２７は増幅度が可変な電力増幅器である。第１の電力増幅器２６はシステムにおいて要求される最大電力の出力が可能な増幅度の大きい電力増幅器であり、これに対し第２の電力増幅器２７は最大電力の出力は不可能だが、動作のために供給しなければならない電力が第１の電力増幅器２６よりも小さい電力増幅器である。
第１の電力増幅器２６と第２の電力増幅器２７は、無線送信装置が出力する電力値により使い分けられる。どちらの電力増幅器を使用するかを決定する電力値は閾値として設定してあり、出力する電力値が閾値よりも大きければ、第１の選択部２８および第２の選択部２５は、第１の電力増幅器２６を選択して使用する。出力する電力値が閾値よりも小さければ、第１の選択部２８および第２の選択部２５は第２の電力増幅器２７を選択して使用し、第１の電力増幅器２６に供給する電力を遮断する。
この従来技術においては、以上のように動作させることにより、送信できる最大電力は第１の電力増幅器２６で満足しつつ、閾値よりも小さい電力が要求されている場合は、所要電力の小さい第２の電力増幅器２７を使用できるため、より低消費電力な無線送信装置を提供することができる。
従来の無線送信装置は以上のように構成されているので、送信中に振幅または電力を増幅するためのゲインを変更することが可能であるが、ゲインを変更した直後に送信する信号が不安定になるなどの課題があった。
例えば、第９図の従来技術の送信装置においては、ゲイン乗算器７〜１０のゲインを送信中に変更する必要がある場合がある。第１０図に、第９図の従来技術において、ゲインβｄを変更する場合の各構成要素の出力電力を示す。第１０図に示すように、データ列ＣＨ１に関連するゲインβｄを、βｄ１からβｄ２、βｄ３、βｄ４へと段階的に切り替えた場合、乗算器７，９の出力が変化し、加算器１１，１２の出力ひいてはベースバンド変調装置の出力電力も段階的に変化する。データ列ＣＨ２に関連するゲインβｃを変化させた場合にも同様である。
しかしながら通常、波形整形部の出力信号（成分Ｉ’ＣＨ１，Ｑ’ＣＨ１，Ｉ’ＣＨ２，Ｑ’ＣＨ２）は各サンプル点における波形整形部のインパルス応答を重ね合わせたものであり、過渡応答特性を持っている。そのためインパルス応答の途中で、ゲインβｄまたはゲインβｃが大きな段差を持って変更されると、乗算器で乗算された過渡応答の波形に歪が発生して、送信する信号の帯域が広がってしまう。この場合、隣接する周波数に対する漏洩電力が大きくなってしまう等の問題が発生する。
また、第１１図の従来技術の送信装置においては、送信する電力が閾値を通過する場合に、第１の電力増幅器２６から第２の電力増幅器２７の切り替え、または第２の電力増幅器２７から第１の電力増幅器２６への切り替えが行われるが、その切替の前後に送信装置の出力信号に不連続点が発生し、送信する信号の帯域が広がってしまう。この場合にも、隣接する周波数に対する漏洩電力が大きくなってしまう等の問題が発生する。
この発明は上記のような課題を解決するためになされたもので、データ列の送信中に振幅または電力といった性質を増幅するためのゲインを変更しても、変更直後に送信する出力信号の帯域の広がりを抑制できる無線送信装置を得ることを目的とする。
【発明の開示】
この発明に係る無線送信装置は、直接スペクトル拡散変調のために、拡散符号により送信データ列を拡散変調するマッピング部と、前記マッピング部の出力を波形整形して帯域制限する波形整形部と、波形整形部の出力に関する成分の性質を増幅することができ、ゲインが可変な可変増幅器を備える。さらに、無線送信装置は制御部を備えており、制御部は、可変増幅器のゲイン変更前に、波形整形部の出力に関する成分のアナログ波の上での振幅が無になるようにマッピング部の出力を処理し、可変増幅器のゲイン変更後に、マッピング部の本来の出力が波形整形部に波形整形されるようにする。
このことによって、可変増幅器のゲイン変更の前後の期間、波形整形部の出力に関する成分のアナログ波の上での振幅を無にすることができる。換言すれば、波形整形部の出力の過渡応答時を避けて、可変増幅器のゲインを変更できる。従って、ゲイン変更直後に送信する出力信号の帯域の広がりを抑制できる。
【図面の簡単な説明】  第１図は、この発明の実施の形態１によるＣＤＭＡ移動体通信システムにおける携帯ハンドセットの無線送信装置の構成を示すブロック図である。
第２図は、第１図に示された無線送信装置の各構成要素の出力を示すタイミングチャートである。
第３図は、実施の形態１の代替的形態に係る無線送信装置の各構成要素の出力を示すタイミングチャートである。
第４図は、第１図に示された無線送信装置のゲート部によるゲーティングの詳細を示すタイミングチャートである。
第５図は、第１図に示された無線送信装置の波形整形部の出力とゲイン乗算器のゲインの切り替えタイミングの関係を示すタイミングチャートである。
第６図は、この発明の実施の形態２によるＣＤＭＡ移動体通信システムにおける携帯ハンドセットの無線送信装置の構成を示すブロック図である。
第７図は、この発明の実施の形態３によるＣＤＭＡ移動体通信システムにおける携帯ハンドセットの無線送信装置の構成を示すブロック図である。
第８図は、第７図に示された無線送信装置の各構成要素の出力を示すタイミングチャートである。
第９図は、従来の技術に係るＣＤＭＡ移動体通信システムにおける携帯ハンドセットの無線送信装置におけるベースバンド変調装置を示すブロック図である。
第１０図は、第９図に示された無線送信装置の各構成要素の出力を示すタイミングチャートである。
第１１図は、他の従来技術に係るＣＤＭＡ移動体通信システムにおける携帯ハンドセットの無線送信装置を示すブロック図である。
【発明を実施するための最良の形態】  以下、この発明をより詳細に説明するために、この発明を実施するための最良の形態について、添付の図面に従って説明する。
実施の形態１．
第１図は、この発明の実施の形態１によるＣＤＭＡ移動体通信システムにおける携帯ハンドセットの無線送信装置の構成を示す。この構成は、同システムの基地局に応用してもよい。図において、１はマッピング部、２はゲート部、３〜６は波形整形部、７〜１０はゲイン乗算器（可変増幅器）、１１，１２は加算器、１３は制御信号発生部、３１はゲイン制御部を示す。
例えば音声と動画像を多元送信するために、マッピング部１は複数の拡散部１ＣＨ１，１ＣＨ２を有する。拡散部１ＣＨ１には例えば音声のデータ列ＣＨ１が供給され、拡散部１ＣＨ２には例えば動画像のデータ列ＣＨ２が供給される。データ列ＣＨ１，ＣＨ２は、１シンボル時刻あたり１ビットのデータ列である。
直接スペクトル拡散変調のために、拡散部１ＣＨ１は、拡散符号Ｃｏｄｅ１を用いたＱＰＳＫ変調をデータ列ＣＨ１に行って拡散し、拡散部１ＣＨ２は、拡散符号Ｃｏｄｅ２を用いたＱＰＳＫ変調をデータ列ＣＨ２に行って拡散する。よって、拡散部１ＣＨ１，１ＣＨ２の各々は、１シンボル時刻あたり２ビットの情報を取り扱うことができ、ＱＰＳＫ変調により拡散されたデータ列ＣＨ１，ＣＨ２はＩ成分とＱ成分に分解される。Ｉ成分とＱ成分は、それぞれ１シンボル時刻あたり１ビットのデータ列である。
また、拡散部１ＣＨ１，１ＣＨ２は、それらのＩ成分とＱ成分をレベル変換して、＋１と−１で表される１シンボル時刻あたり１ビットのデータ列を得る。拡散部１ＣＨ１によってデータ列ＣＨ１を上記のように処理したＩ成分とＱ成分が、ＩＣＨ１，ＱＣＨ１であり、拡散部１ＣＨ２によってデータ列ＣＨ２を上記のように処理したＩ成分とＱ成分が、ＩＣＨ２，ＱＣＨ２である。このようにして、それぞれ１シンボル時刻あたり１ビット（＋１または−１）のデータ列である成分ＩＣＨ１，ＱＣＨ１，ＩＣＨ２，ＱＣＨ２が得られる。
拡散部１ＣＨ１，１ＣＨ２が用いる拡散符号Ｃｏｄｅ１，Ｃｏｄｅ２は、データ列ＣＨ１，ＣＨ２に比べ同等または短い周期で変化する信号であり、拡散部１ＣＨ１，１ＣＨ２により、データ列ＣＨ１，ＣＨ２のスペクトルが拡散される。また、拡散前のデータＣＨ１，ＣＨ２はシンボル単位で変化する信号であるが、拡散後の成分ＩＣＨ１，ＱＣＨ１，ＩＣＨ２，ＱＣＨ２は、拡散符号の速度で決定されるチップ単位で変化する信号である。
ゲート部２は、ゲーティング回路２ａ〜２ｄを有する。拡散部１ＣＨ１から出力された成分ＩＣＨ１はゲーティング回路２ａに入力され、成分ＱＣＨ１はゲーティング回路２ｃに入力される。また、拡散部１ＣＨ２から出力された成分ＩＣＨ２はゲーティング回路２ｂに入力され、成分ＱＣＨ２はゲーティング回路２ｄに入力される。
ゲート部２のゲーティング回路２ａ，２ｃ（データ列ＣＨ１に関連）は、制御信号発生部１３が生成する制御信号ＧＳ１に従って、成分ＩＣＨ１，ＱＣＨ１を処理する。一方、ゲーティング回路２ｂ，２ｄ（データ列ＣＨ２に関連）は、制御信号発生部１３が生成する制御信号ＧＳ２に従って、成分ＩＣＨ２，ＱＣＨ２を処理する。より具体的には、ゲーティング回路２ａ〜２ｄは、対応する制御信号ＧＳ１またはＧＳ２がハイレベルの時に、成分ＩＣＨ１，ＩＣＨ２，ＱＣＨ１，またはＱＣＨ２をその入力値にかかわらず「０」にして出力する。それ以外の場合には、ゲーティング回路２ａ〜２ｄは、成分ＩＣＨ１，ＩＣＨ２，ＱＣＨ１，またはＱＣＨ２を入力されたままの値で通過させる。
このようにしてゲーティング回路２ａ〜２ｄは、２値（＋１，−１）の成分ＩＣＨ１，ＩＣＨ２，ＱＣＨ１，ＱＣＨ２を３値（＋１，０，−１）に変換する。ゲーティング回路２ａ〜２ｄから出力された「０」は無振幅情報として利用される。例えば、成分ＩＣＨ１が「０」の場合には、アナログ波の上でデータ列ＣＨ１のＩ成分の振幅が無になるように、その後の処理が行われる。
制御信号発生部１３は、後述するゲイン乗算器７、９で使用する可変のゲインβｄを切り替えるトリガーが入力されると、ハイレベルの制御信号ＧＳ１をゲーティング回路２ａ，２ｃに供給する。また、制御信号発生部１３は、ゲイン乗算器８，１０で使用する可変のゲインβｃを切り替えるトリガーが入力されると、ハイレベルの制御信号ＧＳ２をゲーティング回路２ｂ，２ｄに供給する。このようなトリガーはゲイン制御部３１が生成する。このように、ゲイン制御部３１、制御信号発生部１３、およびゲート部２は、マッピング部１の出力を適時にゲーティングする制御部を構成する。
ゲーティング回路２ａでゲーティング後の成分ＩＣＨ１は波形整形部３に入力され、ゲーティング回路２ｃでゲーティング後の成分ＱＣＨ１は波形整形部５に入力される。また、ゲーティング回路２ｂでゲーティング後の成分ＩＣＨ２は波形整形部４に入力され、ゲーティング回路２ｄでゲーティング後の成分ＱＣＨ２は波形整形部５に入力される。これらの波形整形部３〜６は、例えばルートナイキストフィルタで構成され、データ列がディジタル−アナログ変換されると、帯域制限された適切な波形を持つようにするために、成分ＩＣＨ１，ＩＣＨ２，ＱＣＨ１，ＱＣＨ２を処理して、成分Ｉ’ＣＨ１，Ｉ’ＣＨ２，Ｑ’ＣＨ１，Ｑ’ＣＨ２をそれぞれ出力する。
第９図に示す従来の技術では波形整形部１８〜２１は１時刻あたり１ビットのデータ列を受け入れるが、この実施の形態における波形整形部３〜６は１時刻あたり２ビットのデータ列を受け入れる。波形整形処理前の成分ＩＣＨ１，ＩＣＨ２，ＱＣＨ１，ＱＣＨ２がそれぞれ１時刻あたり２ビットのデータ列であるのに対して、波形整形部３〜６による波形整形処理後の成分Ｉ’ＣＨ１，Ｉ’ＣＨ２，Ｑ’ＣＨ１，Ｑ’ＣＨ２はそれぞれ、必要な振幅精度に対応した、１時刻あたりマルチビット（例えば８ビット）を持ち、時々刻々と変化するデータ列である。
波形整形部３〜６の出力した成分Ｉ’ＣＨ１，Ｉ’ＣＨ２，Ｑ’ＣＨ１，Ｑ’ＣＨ２は、チャネル相互（例えば音声と動画像）の振幅差を設けるために、それぞれゲイン乗算器７〜１０に入力される。この実施の形態では、データ列ＣＨ１に関連する成分Ｉ’ＣＨ１，Ｑ’ＣＨ１に、ゲイン乗算器７，９がゲインβｄを乗算する一方、データ列ＣＨ２に関連する成分Ｉ’ＣＨ２，Ｑ’ＣＨ２に、ゲイン乗算器８，１０がゲインβｃを乗算する。これらのゲインβｄ，βｃは可変であり、ゲイン制御部３１が制御する。
また、ゲイン乗算器７，８から出力された同相成分βｄ・Ｉ’ＣＨ１およびβｃ・Ｉ’ＣＨ２は加算器１１で加算され、ゲイン乗算器９，１０から出力された直交成分βｄ・Ｑ’ＣＨ１およびβｃ・Ｑ’ＣＨ２は加算器１２で加算される。
これらの加算されたデータ列は図示しないディジタル−アナログコンバータ（Ｄ／Ａコンバータ）でアナログ信号化され、以下の式（１）および式（２）で表される同相チャネルおよび直交チャネルそれぞれのベースバンド変調装置の出力（ベースバンド信号）Ｉｍｏｄ，Ｑｍｏｄが得られる。
Ｉｍｏｄ＝βｄ・Ｉ’ＣＨ１＋βｃ・Ｉ’ＣＨ２            （１）
Ｑｍｏｄ＝βｄ・Ｑ’ＣＨ１＋βｃ・Ｑ’ＣＨ２            （２）
Ｄ／Ａコンバータは図示しない送信器に接続されており、同相チャネルおよび直交チャネルそれぞれのベースバンド信号に送信器は無線周波数変調および電力増幅を施した後、送信する。
次に動作について説明する。以下の動作の説明では、第２図のタイミングチャートを参照する。
第２図に示すように、データ列ＣＨ１のシンボルは、所定間隔で、Ｓｎ−１から、Ｓｎ、Ｓｎ＋１、Ｓｎ＋２へと推移する。データ列ＣＨ１がシンボルＳｎからシンボルＳｎ＋１に変化する時に、ゲインβｃを切り替えるトリガーが制御信号発生部１３に入力されると想定する。
トリガーに応じて制御信号発生部１３は必要とされる長さの制御信号ＧＳ１を発生する。すなわち、シンボルＳｎ＋１の一部のチップを「０」とするように制御信号ＧＳ１をゲート部２のゲーティング回路２ａ，２ｃに供給する。制御信号ＧＳ１に従って、ゲーティング回路２ａ，２ｃは、必要なチップ数分の成分ＩＣＨ１、ＱＣＨ１を「０」にする。従って、ゲーティング後の成分ＩＣＨ１、ＱＣＨ１を整形する波形整形部３，５は、一時的に振幅が「０」となる成分Ｉ’ＣＨ１、Ｑ’ＣＨ１を出力する。
切り替えるべきゲインβｄは、制御信号ＧＳ１がハイレベルで、成分Ｉ’ＣＨ１、Ｑ’ＣＨ１の振幅が「０」である期間に、βｄｎからβｄｎ＋１に変更される。従って、ゲイン乗算器７，８の乗算結果であるβｄ・Ｉ’ＣＨ１およびβｄ・Ｑ’ＣＨ１は図示のように変化する。
ゲインβｄの変更後、制御信号ＧＳ１がローレベルとなり、波形整形部３，５の出力（成分Ｉ’ＣＨ１、Ｑ’ＣＨ１）が再開される。再開直後の波形は、波形整形部３，５で極めて帯域制限されているので、ゲインβｄが乗算された結果の成分βｄ・Ｉ’ＣＨ１およびβｄ・Ｑ’ＣＨ１に波形歪は生じない。以上のように、出力波形には歪を生じずに、ゲインの切り替えを行うことができる。以上、ゲインβｄの切り替えを説明したが、ゲインβｃでも事情は同様である。
この実施の形態において、波形整形部３〜６が一般的な有限長インパルスレスポンスを持つ波形整形を行なうのであっても、ゲーティング回路２ａ〜２ｄによるゲーティング開始（無振幅への規制）から最後のインパルスレスポンスが終了するまでの時間は、例えば実験またはシミュレーションなどにより知ることができる。従って、インパルスレスポンス終了後に、ゲインβｄ，βｃを切り替えるように、ゲイン制御部３１の動作タイミングを設定するのは非常に容易である。上述のように、制御信号ＧＳ１，ＧＳ２がハイレベルの期間に、ゲインβｄ，βｃが切り替えられるが、この切り替えは、予測される最後のインパルスレスポンス終了時刻の後に行うと好ましい。
この実施の形態においては、第２図に示すように、データ列ＣＨ１がシンボルＳｎからシンボルＳｎ＋１に変化する時に、ゲインβｃを切り替えるトリガーが制御信号発生部１３に入力され、制御信号発生部１３は必要とされる長さの制御信号ＧＳ１を生成する。従って、シンボルＳｎ＋１の先頭の一部のチップの振幅が０になされる。しかし、第３図に示す代替的形態のように、データ列ＣＨ１がシンボルＳｎからシンボルＳｎ＋１に変化する前に、ゲインβｃを切り替えるトリガーが制御信号発生部１３に入力され、制御信号発生部１３は必要とされる長さの制御信号ＧＳ１を生成してもよい。この場合には、シンボルＳｎの末尾の一部のチップの振幅が０になされる。さらには、シンボルＳｎの末尾の一部とシンボルＳｎ＋１の先頭の一部ずつの振幅を０とするように、制御信号ＧＳ１を生成してもよい。
第４図はゲート部２によるゲーティングの詳細を示す。第４図に示すように、マッピング部１の拡散部１ＣＨ１により拡散変調されたＩＣＨ１はチップ周期で変化する。制御信号ＧＳ１がハイレベルの期間、ゲート部２のゲーティング回路２ａは、無振幅になるようにチップを「０」として出力し、それ以外の場合にはチップを入力されたままの値で通過させる。このようにこの実施の形態では、シンボルの一部が削除されているため、シンボル全体の自己相関性が劣化する。しかしながら削除したチップ数に対してシンボル全体のチップ数が十分に大きければ、自己相関値は十分に大きくなり、受信装置は伝送されたデータ列を正しく推定することが可能である。また、第４図に示すように、この実施の形態ではゲーティング期間（制御信号ＧＳ１がハイレベルの期間）を６チップの期間としているが、この期間は波形整形部３〜６の有限長であるインパルスレスポンスの長さに応じて適切に変更してもよい。
第５図はこの実施の形態の第２図の方式における、波形整形部３の出力（成分Ｉ’ＣＨ１）とゲインβｄの切り替えタイミングの関係を示すタイミングチャートである。図示のように、ゲインβｄの変更後、制御信号ＧＳ１がローレベルとなり、波形整形部３の出力（成分Ｉ’ＣＨ１）が再開される。図示されるように有限長インパルスレスポンスを持つ波形整形において、波形整形部３の出力は、無振幅への規制による最後のチップのインパルスレスポンスよりも後には波形が存在しないので、ゲインβｄを変更する時期は容易に決定することができる。
以上のように、この実施の形態１によれば、ゲインβｄ，βｃが可変な可変増幅器であるゲイン乗算器７〜１０のゲインβｄ，βｃの変更前に、制御信号発生部１３が制御信号ＧＳ１，ＧＳ２をゲート部２に供給することによって、ゲート部２が波形整形部３〜６の出力に関する成分のアナログ波の上での振幅が無になるようにマッピング部１の出力を処理する。また、ゲイン乗算器７〜１０のゲインβｄ，βｃの変更後に、制御信号発生部１３が制御信号ＧＳ１，ＧＳ２のゲート部２への供給を停止することによって、マッピング部１の本来の出力が波形整形部３〜６に供給されるようにゲート部２が動作するように構成されている。
従って、ゲイン乗算器７〜１０のゲインβｄ，βｃの変更の前後の期間、波形整形部３〜６の出力に関する成分のアナログ波の上での振幅を無にすることができる。換言すれば、波形整形部３〜６の出力の過渡応答時を避けて、ゲイン乗算器７〜１０のゲインβｄ，βｃを変更できる。よって、波形歪が抑圧され、ゲイン変更直後に送信する出力信号の帯域の広がりを抑制できる。
このようなゲーティング制御動作を行う制御部は、ゲイン制御部３１、制御信号発生部１３、およびゲート部２から構成される。ゲーティング制御のための制御部は簡単な構造であり、装置を大規模にすることを避けられる。
実施の形態２．
第６図は、この発明の実施の形態２によるＣＤＭＡ移動体通信システムにおける携帯ハンドセットの無線送信装置の構成を示す。この構成は、同システムの基地局に応用してもよい。図において、１はマッピング部、１４〜１７は波形整形部、７〜１０はゲイン乗算器（可変増幅器）、１１，１２は加算器、１３は制御信号発生部、３１はゲイン制御部を示す。
例えば音声と動画像を多元送信するために、マッピング部１は複数の拡散部１ＣＨ１，１ＣＨ２を有する。拡散部１ＣＨ１，１ＣＨ２の詳細は実施の形態１と同じであり、その説明を省略する。
拡散部１ＣＨ１から出力された成分ＩＣＨ１は波形整形部１４に入力され、成分ＱＣＨ１は波形整形部１６に入力される。また、拡散部１ＣＨ２から出力された成分ＩＣＨ２は波形整形部１５に入力され、成分ＱＣＨ２は波形整形部１７に入力される。これらの波形整形部１４〜１７は、例えばルートナイキストフィルタで構成され、データ列がディジタル−アナログ変換されると、帯域制限された適切な波形を持つようにするために、成分ＩＣＨ１，ＩＣＨ２，ＱＣＨ１，ＱＣＨ２を処理して、成分Ｉ’ＣＨ１，Ｉ’ＣＨ２，Ｑ’ＣＨ１，Ｑ’ＣＨ２をそれぞれ出力する。従って、上述した実施の形態１の波形整形部３〜６と等価な機能を波形整形部１４〜１７は有する。
さらに、この実施の形態の波形整形部１４〜１７は、入力信号削除機能を有する。波形整形部１４，１６（データ列ＣＨ１に関連）は、制御信号発生部１３が生成する制御信号ＧＳ１に従って、成分ＩＣＨ１，ＱＣＨ１を処理する。一方、波形整形部１５，１７（データ列ＣＨ２に関連）は、制御信号発生部１３が生成する制御信号ＧＳ２に従って、成分ＩＣＨ２，ＱＣＨ２を処理する。より具体的には、波形整形部１４〜１７は、対応する制御信号ＧＳ１またはＧＳ２がハイレベルの時に、実際に入力される成分ＩＣＨ１，ＩＣＨ２，ＱＣＨ１，またはＱＣＨ２の値（＋１または−１）にかかわらず、成分ＩＣＨ１，ＩＣＨ２，ＱＣＨ１，またはＱＣＨ２の値を０とみなして、アナログ波の上で該当するデータ列の成分の振幅が無になるように、成分Ｉ’ＣＨ１，Ｉ’ＣＨ２，Ｑ’ＣＨ１，Ｑ’ＣＨ２を出力する。それ以外の場合には、波形整形部１４〜１７は、入力された成分ＩＣＨ１，ＩＣＨ２，ＱＣＨ１，またはＱＣＨ２の値（＋１または−１）に基づいて、成分Ｉ’ＣＨ１，Ｉ’ＣＨ２，Ｑ’ＣＨ１，Ｑ’ＣＨ２を出力する。
要するに、この実施の形態における波形整形部１４〜１７は、対応する制御信号ＧＳ１またはＧＳ２がハイレベルの時に、入力された信号の値を「０」とみなす機能を持つ以外は、実施の形態１の波形整形部３〜６と同等の波形整形機能を持つ。また、別の観点から、このような波形整形部１４〜１７は、実施の形態１のゲート部２と波形整形部３〜６の機能を併有する。従って、波形整形部１４〜１７は、実施の形態１と等価な成分Ｉ’ＣＨ１，Ｉ’ＣＨ２，Ｑ’ＣＨ１，Ｑ’ＣＨ２を出力する。
波形整形部１４〜１７より後の動作は、実施の形態１とほぼ同等である。制御信号発生部１３は、ゲイン乗算器７、９で使用する可変のゲインβｄを切り替えるトリガーがゲイン制御部３１から供給されると、ハイレベルの制御信号ＧＳ１を波形整形部１４，１６に供給する。また、制御信号発生部１３は、ゲイン乗算器８，１０で使用する可変のゲインβｃを切り替えるトリガーがゲイン制御部３１から供給されると、ハイレベルの制御信号ＧＳ２を波形整形部１５，１７に供給する。このように、ゲイン制御部３１、制御信号発生部１３、および波形整形部１４〜１７は、マッピング部１の出力を適時にゲーティングする制御部を構成する。
以上のように、この実施の形態２によれば、ゲインβｄ，βｃが可変な可変増幅器であるゲイン乗算器７〜１０のゲインβｄ，βｃの変更前に、制御信号発生部１３が制御信号ＧＳ１，ＧＳ２を波形整形部１４〜１７に供給することによって、波形整形部１４〜１７が波形整形部１４〜１７自身の出力に関する成分のアナログ波の上での振幅が無になるようにマッピング部１の出力を処理する。また、ゲイン乗算器７〜１０のゲインβｄ，βｃの変更後に、制御信号発生部１３が制御信号ＧＳ１，ＧＳ２の波形整形部１４〜１７への供給を停止することによって、マッピング部１の本来の出力が波形整形部１４〜１７に波形整形されるように波形整形部１４〜１７自身が動作するように構成されている。
従って、ゲイン乗算器７〜１０のゲインβｄ，βｃの変更の前後の期間、波形整形部１４〜１７の出力に関する成分のアナログ波の上での振幅を無にすることができる。換言すれば、波形整形部１４〜１７自身の出力の過渡応答時を避けて、ゲイン乗算器７〜１０のゲインβｄ，βｃを変更できる。よって、波形歪が抑圧され、ゲイン変更直後に送信する出力信号の帯域の広がりを抑制できる。
このようなゲーティング制御動作を行う制御部は、ゲイン制御部３１、制御信号発生部１３、および波形整形部１４〜１７から構成される。
ゲーティング制御のための制御部は簡単な構造であり、装置を大規模にすることを避けられる。さらに、波形整形部１４〜１７がゲーティング機能を持つので、ゲーティング専用のゲート部２（第１図参照）を設ける必要もない。
以上の実施の形態１，２では、マルチメディア送信のために、複数チャネルのデータ列ＣＨ１，ＣＨ２を送信する。しかし、単一チャネルの送信のために、実施の形態１，２を修正してもよく、このような修正された形態もこの発明の範囲にある。
実施の形態３．
第７図は、この発明の実施の形態３に係るＣＤＭＡ移動体通信システムにおける携帯ハンドセットの無線送信装置の構成を示す。この構成は、同システムの基地局に応用してもよい。この無線送信装置は送信する電力を必要に応じて変化させる送信電力制御の必要なＣＤＭＡ移動体通信システムにおいて使用される。図において、２９はマッピング部、３０はゲート部、３は波形整形部、５は波形整形部、２２，２３はディジタルアナログ変換器、２４は無線周波数変調器、２５は第２の選択部、２６は第１の電力増幅器、２７は第２の電力増幅器、２８は第１の選択部、３３は電力判断部を示す。
マッピング部２９は拡散部２９ａを有しており、拡散部２９ａにはデータ列ＣＨ１が供給される。直接スペクトル拡散変調のために、拡散部２９ａは、データ列ＣＨ１を拡散符号Ｃｏｄｅ１を用いてＱＰＳＫ変調を行って拡散する。よって、拡散部２９ａは、１シンボル時刻あたり２ビットの情報を取り扱うことができ、ＱＰＳＫ変調により拡散されたデータ列ＣＨ１はＩ成分とＱ成分に分解される。Ｉ成分とＱ成分は、それぞれ１シンボル時刻あたり１ビットのデータ列である。
また、拡散部２９ａは、それらのＩ成分とＱ成分をレベル変換して、＋１と−１で表される１シンボル時刻あたり１ビットのデータ列を得る。拡散部２９ａによってデータ列ＣＨ１を上記のように処理したＩ成分とＱ成分が、ＩＣＨ１，ＱＣＨ１である。このようにして、それぞれ１シンボル時刻あたり１ビット（＋１または−１）のデータ列である成分ＩＣＨ１，ＱＣＨ１が得られる。
拡散部２９ａが用いる拡散符号Ｃｏｄｅ１は、データ列ＣＨ１に比べ同等または短い周期で変化する信号であり、拡散部２９ａにより、データ列ＣＨ１のスペクトルが拡散される。また、拡散前のデータＣＨ１はシンボル単位で変化する信号であるが、拡散後の成分ＩＣＨ１，ＱＣＨ１は、拡散符号の速度で決定されるチップ単位で変化する信号である。
ゲート部３０は、ゲーティング回路２ａ，２ｃを有する。拡散部２９ａから出力された成分ＩＣＨ１と成分ＱＣＨ１はそれぞれゲーティング回路２ａ，２ｃに入力される。ゲート部３０のゲーティング回路２ａ，２ｃは、制御信号発生部１３が生成する制御信号ＧＳに従って、成分ＩＣＨ１，ＱＣＨ１を処理する。より具体的には、ゲーティング回路２ａ，２ｃは、制御信号ＧＳがハイレベルの時に、成分ＩＣＨ１，ＱＣＨ１をその入力値にかかわらず「０」にして出力する。それ以外の場合には、ゲーティング回路２ａ，２ｃは、成分ＩＣＨ１，ＱＣＨ１を入力されたままの値で通過させる。
このようにしてゲーティング回路２ａ，２ｃは、２値（＋１，−１）の成分ＩＣＨ１，ＱＣＨ１を３値（＋１，０，−１）に変換する。ゲーティング回路２ａ，２ｃから出力された「０」は無振幅情報として利用される。例えば、成分ＩＣＨ１が「０」の場合には、アナログ波の上でデータ列ＣＨ１のＩ成分の振幅が無になるように、その後の処理が行われる。制御信号発生部１３は、後述する第１の電力増幅器２６と第２の電力増幅器２７を切り替えるトリガーが入力されると、ハイレベルの制御信号ＧＳをゲーティング回路２ａ，２ｃに供給する。このトリガーは電力判断部３３が供給する。
ゲーティング回路２ａでゲーティング後の成分ＩＣＨ１、は波形整形部３に入力され、ゲーティング回路２ｃでゲーティング後の成分ＱＣＨ１は波形整形部５に入力される。これらの波形整形部３，５は、例えばルートナイキストフィルタで構成され、データ列がディジタル−アナログ変換されると、帯域制限された適切な波形を持つようにするために、成分ＩＣＨ１，ＱＣＨ１を処理して、成分Ｉ’ＣＨ１，Ｑ’ＣＨ１をそれぞれ出力する。
第１１図に示す従来の技術では波形整形部３，５は１時刻あたり１ビットのデータ列を受け入れるが、この実施の形態における波形整形部３、５は１時刻あたり２ビットのデータ列を受け入れる。波形整形処理前の成分ＩＣＨ１，ＱＣＨ１がそれぞれ１時刻あたり２ビットのデータ列であるのに対して、波形整形部３，５による波形整形処理後の成分Ｉ’ＣＨ１，Ｑ’ＣＨ１はそれぞれ、必要な振幅精度に対応した、１時刻あたリマルチビット（例えば８ビット）を持ち、時々刻々と変化するデータ列である。
波形整形された同相チャネルおよび直交チャネルそれぞれのデータ列はディジタルアナログ変換器２２，２３によりアナログ波形に変換され、無線周波数変調器２４で無線周波数の変調が行われる。
無線周波数変調器２４の出力は第２の選択部２５に供給される。第１の選択部と第２の選択部は、無線周波数変調器２４の出力が第１の電力増幅器２６と第２の電力増幅器２７の何れで、電力増幅されるように選択する。第１の電力増幅器２６はシステムにおいて要求される最大電力の出力が可能な増幅度（ゲイン）の大きい電力増幅器であり、これに対し第２の電力増幅器２７はゲインが小さく最大電力の出力は不可能だが、動作のために供給しなければならない電力が第１の電力増幅器２６よりも小さい電力増幅器である。図示の形態の代わりの形態として、第２の電力増幅器２７を排除し、第２の選択部２５と第１の選択部２８が直結されていてもよい。
第１の電力増幅器２６と第２の電力増幅器２７は、無線送信装置が出力する電力値により使い分けられる。どちらの電力増幅器を使用するかを決定する電力値は閾値として電力判断部３３に設定してあり、出力する電力値が閾値よりも大きいと電力判断部３３が判断すれば、第１の選択部２８および第２の選択部２５が、第１の電力増幅器２６を選択して使用する。出力する電力値が閾値よりも小さいと電力判断部３３が判断すれば、第１の選択部２８および第２の選択部２５は第２の電力増幅器２７を選択して使用し、第１の電力増幅器２６に供給する電力を遮断する。従って、第２の選択部２５、第１の選択部２８、第１の電力増幅器２６および第２の電力増幅器２７は、一つの可変増幅器を構成するとみなすことができる。
次に動作について説明する。以下の動作の説明では、第８図のタイミングチャートを参照する。
出力すべき信号の電力値が閾値を越えて、第１の電力増幅器２６と第２の電力増幅器２７の切り替えが必要となると、制御信号発生部１３は必要とされる長さの制御信号ＧＳを発生し、ゲート部３０のゲーティング回路２ａ，２ｃに供給する。ゲーティング回路２ａ，２ｃはこの制御信号ＧＳに従い、すなわち制御信号ＧＳがハイレベルの期間でゲーティングを行い、必要なチップ数分の成分ＩＣＨ１、ＱＣＨ１を「０」にする。従って、ゲーティング後の成分ＩＣＨ１、ＱＣＨ１を整形する波形整形部３，５は、一時的に振幅が「０」となる成分Ｉ’ＣＨ１、Ｑ’ＣＨ１を出力する。
制御信号ＧＳ１がハイレベルで、成分Ｉ’ＣＨ１、Ｑ’ＣＨ１の振幅が「０」である期間に、選択部２５，２８が作動して、電力増幅器２６，２７を切り替える。切り替え後、制御信号ＧＳ１がローレベルとなり、波形整形部３，５の出力（成分Ｉ’ＣＨ１、Ｑ’ＣＨ１）が再開される。再開直後の波形は、波形整形部３，５で極めて帯域制限されているので、波形歪は発生しない。従って、増幅器を切り替えることによって、第１の選択部２８の出力、ひいては送信装置の出力の振幅が変化する場合であっても、不連続点のない送信装置の出力が得られる。
この実施の形態において、波形整形部３，５が一般的な有限長インパルスレスポンスでの波形整形を行なうのであっても、ゲーティング回路２ａ，２ｃによるゲーティング開始（無振幅への規制）から最後のインパルスレスポンスが終了するまでの時間は、例えば実験またはシミュレーションなどにより知ることができる。従って、インパルスレスポンス終了後に電力増幅器２６，２７を切り替えるように、選択部２８，２５の動作タイミングを設定するのは非常に容易である。上述のように、制御信号ＧＳがハイレベルの期間に、電力増幅器２６，２７が切り替えられるが、この切り替えは、予測される最後のインパルスレスポンス終了時刻の後に行うと好ましい。
以上のように、この実施の形態３によれば、可変増幅器のゲインの変更（電力増幅器２６，２７の切替）の前に、制御信号発生部１３が制御信号ＧＳをゲート部３０に供給することによって、ゲート部３０が波形整形部３，５の出力に関する成分のアナログ波の上での振幅が無になるようにマッピング部２９の出力を処理する。また、可変増幅器のゲインの変更（電力増幅器２６，２７の切替）の後に、制御信号発生部１３が制御信号ＧＳのゲート部３０への供給を停止することによって、マッピング部２９の本来の出力が波形整形部３，５に供給されるようにゲート部３０が動作するように構成されている。
従って、可変増幅器のゲインの変更（電力増幅器２６，２７の切替）の前後の期間、波形整形部３，５の出力に関する成分のアナログ波の上での振幅を無にすることができる。換言すれば、波形整形部３，５の出力の過渡応答時を避けて、可変増幅器のゲインの変更（電力増幅器２６，２７の切替）ができる。よって、波形の不連続点が解消され、ゲイン変更直後に送信する出力信号の帯域の広がりを抑制できる。
このようなゲーティング制御動作を行う制御部は、電力判断部３３、制御信号発生部１３、およびゲート部３０から構成される。ゲーティング制御のための制御部は簡単な構造であり、装置を大規模にすることを避けられる。
さらに、実施の形態３では、ゲート部３０がゲーティング動作を行う。但し、実施の形態２と同様に波形整形とゲーティングを行うことができる波形整形部を設けることによって、ゲート部３０を排除することも可能である。
以上、この発明をその好適な実施の形態を参照しながら詳細に図示して説明したが、請求の範囲に記載されたこの発明の趣旨および区域内で、形式および細部に関する様々な変更が可能であることは当業者であれば理解できることだろう。かかる変更、代替、修正もクレームの範囲に含まれるものである。
【産業上の利用可能性】  以上のように、この発明に係る無線送信装置によれば、、データ列の送信中に振幅または電力といった性質を増幅するためのゲインを変更しても、変更直後に送信する出力信号の帯域の広がりを抑制できる。
【図１】
2004019511.tif 000003
【図２】
2004019511.tif 000004
【図３】
2004019511.tif 000005
【図４】
2004019511.tif 000006
【図５】
2004019511.tif 000007
【図６】
2004019511.tif 000008
【図７】
2004019511.tif 000009
【図８】
2004019511.tif 000010
【図９】
2004019511.tif 000011
【図１０】
2004019511.tif 000012
【図１１】
2004019511.tif 000013
【国際調査報告】
2004019511.tif 000014
2004019511.tif 000015
2004019511.tif 000016
2004019511.tif 000017